(57)【特許請求の範囲】
【請求項１】
電気部品および吸込口部を有し、電気掃除機の掃除機本体に接続される吸込口本体と、
この吸込口本体の前方にこの吸込口本体とは隔離して設けられ、前記吸込口部と連通する集塵室、この集塵室の内部に配置される集塵用回転ブラシ、および前記集塵室と連通する集塵開口部を有する集塵部ユニットと
を備えてなり、
前記吸込口本体は、前記電気部品として、前記回転ブラシを回転駆動するためのモータを少なくとも有し、
前記集塵部ユニットは、前記集塵室を形成する上ケースと、この上ケースの下側に着脱可能に装着され、前記集塵開口部が設けられた下ケースと、前記上ケースおよび前記下ケースの間に着脱可能に装着され、前記吸込口本体の前記吸込口部と連通する吸込口部を有する中ケースとを備え、
前記回転ブラシは、前記下ケースの前記集塵開口部に着脱可能に取り付けられた状態で前記中ケースと前記下ケースとの間に配置されており、
前記上ケースに、前記中ケースの上部を上方へ露出させる上方開口部が設けられ、この上方開口部に、前記中ケースがその上部を上方へ露出させた状態で着脱可能に取り付けられており、前記中ケースの露出した部分を前記下ケースの方向に押すことで前記中ケース及び前記回転ブラシを取り外し可能となっていることを特徴とする電気掃除機用の吸込口体。
【請求項２】
電気部品および吸込口部を有し、電気掃除機の掃除機本体に接続される吸込口本体と、
この吸込口本体の前方にこの吸込口本体とは隔離して設けられ、前記吸込口部と連通する集塵室、この集塵室の内部に配置される集塵用回転ブラシ、および前記集塵室と連通する集塵開口部を有する集塵部ユニットと
を備えてなり、
前記吸込口本体は、前記電気部品として、前記回転ブラシを回転駆動するためのモータを少なくとも有すると共に、前記モータの回転駆動力を前記回転ブラシへ伝達する駆動力伝達部材と、前記駆動力伝達部材を個別に収容し、かつ、前記駆動力伝達部材を収容した状態で着脱可能なケーシングと、前記ケーシングに設けられた水抜き孔とを有し、
前記集塵部ユニットは、前記集塵室を形成する上ケースと、この上ケースの下側に着脱可能に装着され、前記集塵開口部が設けられた下ケースと、前記上ケースと前記下ケースの間に着脱可能に装着され、前記吸込口本体の前記吸込口部と連通する吸込口部を有する中ケースとを備え、
前記回転ブラシは、前記下ケースの前記集塵開口部に着脱可能に取り付けられた状態で前記中ケースと前記下ケースの間に配置されている、ことを特徴とする電気掃除機用の吸込口体。
【請求項３】
前記駆動力伝達部材は、一対のプーリと、前記一対のプーリに張り渡されたベルトを備えている、請求項２に記載の吸込口体。
【請求項４】
前記中ケースは、その全部または少なくとも前記上部が透明にされている、請求項１〜３のいずれか１つに記載の吸込口体。
【請求項５】
電動送風機が内蔵された掃除機本体と、この掃除機本体に接続された請求項１〜４のいずれか１つに記載の吸込口体とを備えてなる電気掃除機。
【発明の詳細な説明】
【技術分野】
【０００１】
本発明は、電気掃除機用の吸込口体およびこの吸込口体を備えた電気掃除機に関し、さらに詳しくは、電気掃除機の一部として使用されるモータ駆動タイプの吸込口体およびこの吸込口体を備えた電気掃除機に関する。
【背景技術】
【０００２】
電気掃除機用の吸込口体として、特許文献１には、フローリング、畳、じゅうたんなどの被掃除面に対する吸込力を向上させるため、モータで回転駆動される回転ブラシを備えた吸込口体が提案されている。この吸込口体には、モータの回転力を回転ブラシに伝達するプーリおよびベルトを有する回転力伝達機構が、吸込口体を構成する筐体の内部に回転ブラシと連結した状態で設けられている。
【０００３】
また、別の吸込口体として、特許文献２には、布団や毛布などの寝具類の被掃除面に対する吸込力を向上させるため、モータで振動して寝具類を叩くビータを備えた吸込口体が提案されている。この吸込口体は、ビータを一対のばねと1つの振動子との３点で支持し、回転するカムにより、振動子を介してビータを上下に振動させるように構成されている。
【先行技術文献】
【特許文献】
【０００４】
【特許文献１】特開２０１２−２１７７９８号公報
【特許文献２】特許第４５１２６２４号公報
【発明の概要】
【発明が解決しようとする課題】
【０００５】
特許文献１の吸込口体を清掃する場合には、使用者は通常、吸込口体の底部に開口する集塵開口部から外部に露出している回転ブラシを清掃用の刷毛やブラシなどの清掃具を用いて清掃する。あるいは、吸込口体の下ケース部分から上ケース部分を取り外し、回転ブラシの一端に一体化されたプーリから回転力伝達機構のベルトを外すことにより、回転ブラシを下ケース部分から取り外して清掃する。
【０００６】
しかしながら、下ケース部分には回転ブラシ駆動用モータや回路基板などの電気部品が固定されているため、下ケース部分の内側を清掃具で清掃することはできるものの、水洗いすることはできない。そのため、下ケース部分の内側の隅部や電気部品と下ケース部分との隙間などの、清掃具が届きにくい箇所に入り込んだ塵埃や、髪の毛、糸屑などの繊維状ゴミは除去されずに残る。さらに、吸込口体の内部に残った塵埃や繊維状ゴミに紛れて存在するダニや雑菌などが繁殖するおそれもある。このため、特許文献１の吸込口体では、このような不衛生な状態のままで、吸込口体を保管するとともに使い続けなければならないという問題があった。
【０００７】
また、特許文献２の吸込口体を清掃する場合には、使用者は、ビータを取り外して清掃することはできるが、吸込口体の内部にビータ駆動用モータや回路基板などの電気部品が固定されているため、吸込口体の内部を水洗いすることはできない。このため、特許文献２の吸込口体にあっても、特許文献１の吸込口体と同様に、不衛生な状態のままで、吸込口体を保管するとともに使い続けなければならないという問題があった。
【０００８】
本発明は、このような現状に鑑みてなされたものであり、汚れが残りやすい吸込口体の内部を水洗いすることが可能である、電気掃除機用の吸込口体およびこのような吸込口体を備えた電気掃除機を提供することを目的とする。
【課題を解決するための手段】
【０００９】
かくして、本発明の１つの観点によれば、電気部品および吸込口部を有し、電気掃除機の掃除機本体に接続される吸込口本体と、
この吸込口本体の前方にこの吸込口本体とは隔離して設けられ、前記吸込口部と連通する集塵室、この集塵室の内部に配置される集塵用回転ブラシ、および前記集塵室と連通する集塵開口部を有する集塵部ユニットと
を備えてなり、
前記吸込口本体は、前記電気部品として、前記回転ブラシを回転駆動するためのモータを少なくとも有し、
前記集塵部ユニットは、前記集塵室を形成する上ケースと、この上ケースの下側に着脱可能に装着され、前記集塵開口部が設けられた下ケースと、前記上ケースおよび前記下ケースの間に着脱可能に装着され、前記吸込口本体の前記吸込口部と連通する吸込口部を有する中ケースとを備え、
前記回転ブラシは、前記下ケースの前記集塵開口部に着脱可能に取り付けられた状態で前記中ケースと前記下ケースとの間に配置されており、
前記上ケースに、前記中ケースの上部を上方へ露出させる上方開口部が設けられ、この上方開口部に、前記中ケースがその上部を上方へ露出させた状態で着脱可能に取り付けられており、前記中ケースの露出した部分を前記下ケースの方向に押すことで前記中ケース及び前記回転ブラシを取り外し可能となっていることを特徴とする電気掃除機用の吸込口体が提供される。
また、本発明の他の観点によれば、電気部品および吸込口部を有し、電気掃除機の掃除機本体に接続される吸込口本体と、
この吸込口本体の前方にこの吸込口本体とは隔離して設けられ、前記吸込口部と連通する集塵室、この集塵室の内部に配置される集塵用回転ブラシ、および前記集塵室と連通する集塵開口部を有する集塵部ユニットと
を備えてなり、
前記吸込口本体は、前記電気部品として、前記回転ブラシを回転駆動するためのモータを少なくとも有すると共に、前記モータの回転駆動力を前記回転ブラシへ伝達する駆動力伝達部材と、前記駆動力伝達部材を個別に収容し、かつ、前記駆動力伝達部材を収容した状態で着脱可能なケーシングと、前記ケーシングに設けられた水抜き孔とを有し、
前記集塵部ユニットは、前記集塵室を形成する上ケースと、この上ケースの下側に着脱可能に装着され、前記集塵開口部が設けられた下ケースと、前記上ケースと前記下ケースの間に着脱可能に装着され、前記吸込口本体の前記吸込口部と連通する吸込口部を有する中ケースとを備え、
前記回転ブラシは、前記下ケースの前記集塵開口部に着脱可能に取り付けられた状態で前記中ケースと前記下ケースの間に配置されている、ことを特徴とする電気掃除機用の吸込口体が提供される。
【００１０】
また、本発明の別の観点によれば、電動送風機が内蔵された掃除機本体と、この掃除機本体に接続された上記１つの観点による吸込口体とを備えてなる電気掃除機が提供される。
【発明の効果】
【００１１】
本発明の上記１つの観点による電気掃除機用の吸込口体は、集塵部ユニットがモータなどの電気部品を有する吸込口本体とは隔離して設けられているとともに、その中ケースおよび下ケースが上ケースに対して着脱可能に装着され、さらに、集塵用回転ブラシが下ケースの集塵開口部に着脱可能に装着されている。従って、この吸込口体によれば、集塵部ユニットの構成要素である中ケースおよび下ケースを上ケースから、また、回転ブラシを中ケースおよび下ケースから、取り外すことができる。その結果、取り外した中ケース、下ケースおよび回転ブラシをモータなどの電気部品を気にすることなく水洗いすることができ、集塵部ユニットが衛生的な状態で吸込口体を保管することが可能になる。
【００１２】
本発明の上記別の観点による電気掃除機は、電動送風機が内蔵された各種の型の掃除機本体に上記１つの観点による吸込口体が接続されている。従って、これらの電気掃除機によれば、モータなどの電気部品を有する吸込口本体とは隔離して設けられた集塵部ユニットの構成要素である中ケースおよび下ケースを上ケースから、また、回転ブラシを中ケースおよび下ケースから、取り外すことができる。その結果、取り外した中ケース、下ケースおよび回転ブラシをモータなどの電気部品を気にすることなく水洗いすることができ、集塵部ユニットが衛生的な状態で吸込口体を保管することが可能になる。
【図面の簡単な説明】
【００１３】
【図１】本発明の電気掃除機用の吸込口体を備えた電気掃除機の実施形態１を示す全体斜視図である。
【図２】実施形態１の電気掃除機における吸込口体を正面斜め上方から見た全体斜視図である。
【図３】図２の吸込口体の平面図である。
【図４】図２の吸込口体の正面図である。
【図５】図２の吸込口体の右側面図である。
【図６】図２の吸込口体を右側方から見た中央部横断面図である。
【図７】図２の吸込口体の底面図である。
【図８】図２の吸込口体を底面側から見た全体斜視図である。
【図９】図２の吸込口体の一部構成要素が取り外された状態を底面側から見た分解斜視図である。
【図１０】図２の吸込口体の一部構成要素が取り外された状態を底面側から見た分解斜視図である。
【図１１】図２の吸込口体の一部構成要素が取り外された状態を底面側から見た分解斜視図である。
【図１２】図１０に示された吸込口体の回転ブラシユニットの正面図である。
【図１３】図１２に示された回転ブラシユニットのＡ−Ａ線に沿った水平断面図である。
【図１４】図１２に示された回転ブラシユニットの平面図である。
【図１５】図１４に示された回転ブラシユニットのＢ−Ｂ線に沿った垂直断面図である。
【発明を実施するための形態】
【００１４】
（実施形態１）
図１は本発明の電気掃除機用の吸込口体を備えた電気掃除機の実施形態１を示す全体斜視図である。この電気掃除機１は、いわゆるキャニスター型電気掃除機であり、電動送風機などが内蔵された掃除機本体２と、ホース３および延長パイプ４を介して掃除機本体２に接続された吸込口体５とを備えている。なお、延長パイプ４の一部を形成するハンドル４ａには操作部４ｂが設けられている。
【００１５】
本発明の特徴は、吸込口体５にあり、電気掃除機１のその他の構成は特に限定されないため、主として吸込口体５について説明する。なお、本明細書において、電気掃除機１および吸込口体５の「上」および「下」は吸込口体５を水平な被掃除面に置いたときを基準にする。また、「前方向」とは吸込口体５を進ませる方向を意味し、「後方向」とはその逆の方向を意味する。さらに、電気掃除機１および吸込口体５の「左側」とは吸込口体５の正面に対向したときの左側を意味し、「右側」とは吸込口体５の正面に対向したときの右側を意味する（図１を参照）。
【００１６】
＜吸込口体の構成＞
図２は実施形態１の電気掃除機１の吸込口体５を正面斜め上方から見た全体斜視図であり、図３は吸込口体５の平面図、図４は吸込口体５の正面図である。また、図５は吸込口体５の右側面図、図６は吸込口体５を右側方から見た中央部横断面図、図７は吸込口体５の底面図である。さらに、図８は吸込口体５を底面側から見た全体斜視図、図９〜図１１はそれぞれ、吸込口体５の一部構成要素が取り外された状態を底面側から見た分解斜視図である。図１２〜図１５はそれぞれ、吸込口体５の回転ブラシユニット９０の正面図、図１２に示された回転ブラシユニット９０のＡ−Ａ線に沿った水平断面図、図１２に示された回転ブラシユニット９０の平面図、および図１４に示された回転ブラシユニット９０のＢ−Ｂ線に沿った垂直断面図である。
【００１７】
吸込口体５は、電気掃除機１の掃除機本体２に、ホース３および延長パイプ４を介して接続される吸込口本体６と、吸込口本体６の前方に設けられた集塵部ユニット７とを備えてなる。
【００１８】
［吸込口本体］
図１および図２に示すように、吸込口本体６は、平面形状がＴ字状である本体部６１と、本体部６１の中央部分に上方突出状にかつ所定範囲の角度で回動可能に連設され、その上方端部で電気掃除機１の延長パイプ４に接続される接続部６２とを備えている。
【００１９】
本体部６１には、図１１に示すように、その前方中央部分に長方形状の吸込口部６１ａが設けられている。この吸込口部６１ａは集塵部ユニット７の集塵室に連通するようにされている。そして、吸込口部６１ａの周縁には気密性を確保するためのシール用パッキン６１ｂが取り付けられている。本体部６１の後端部には左右一対の車輪６１ｃ・６１ｃが取り付けられている。
【００２０】
本体部６１の内部には、電気部品として、その右端寄り箇所に、後述する集塵用回転ブラシ７２を回転駆動するためのモータＭが設けられ、左端寄り箇所に、モータＭに接続された回路基板Ｎが設けられている。
【００２１】
［集塵部ユニットの全体構成］
集塵部ユニット７は、吸込口本体６の本体部６１に設けられた吸込口部６１ａ（図１１を参照）と下記の下ケース１２に設けられた集塵開口部７４（図９を参照）とに連通する集塵室７１（図８を参照）と、集塵室７１の内部に配置される集塵用回転ブラシ７２とを有している。
【００２２】
さらに詳しく説明すると、集塵部ユニット７は、集塵室７１を形成する上ケース１１と、上ケース１１の下側に着脱可能に装着され、集塵開口部７４が設けられた下ケース１２と、上ケース１１および下ケース１２の間に着脱可能に装着され、吸込口本体６の吸込口部６１ａと連通する長方形状の吸込口部１３ａを有する中ケース１３とを備えている。
【００２３】
上ケース１１、下ケース１２および中ケース１３はいずれもポリエチレンから作られており、上ケース１１および下ケース１２は色が付けられた不透明なものであり、中ケース１３は全体が透明なものである。
【００２４】
上ケース１１は、例えば図２、図５および図８に示すように、円筒を縦半分に切断してその切断断面を下に向けた略半円筒形状を有している。上ケース１１の外面には、その前縁下部から左右両側縁下部にかけて、帯状バンパー１４が取り付けられている。このバンパー１４は、例えば部屋の壁際を掃除するときに集塵部ユニット７が壁に当たってもその衝撃を緩和するためのものである。上ケース１１には、例えば図２、図３および図１１に示すように、左右に長い略長方形の上方開口部１１ａが設けられている。
【００２５】
上ケース１１の前縁内面には、上ケース１１の各端部寄り箇所に１つずつ、合わせて２つの係止用第１凹部１１ｂ・１１ｂが設けられ、また、上ケース１１の中央部寄り箇所に１つずつ、合わせて２つの係止用第２凹部１１ｃ・１１ｃが設けられている。
【００２６】
下ケース１２は、図９に示すように、上ケース１１の下側に着脱可能に装着されて上ケース１１の下面一部を覆う略長方形枠状の第１カバー１２ａ1と、第１カバー１２ａ1の後方に一体状に設けられ、本体部６１の下面一部を覆う略Ｕ字状の第２カバー１２ａ2とからなっている。
【００２７】
第１カバー１２ａ1の前縁には左右１対の係止爪１２ｂ・１２ｂが設けられている。これらの係止爪１２ｂ・１２ｂは、下ケース１２が上ケース１１の下側に装着されるときに、上ケース１１の第１凹部１１ｂ・１１ｂのそれぞれに着脱可能に係止されるような位置および大きさに設けられている。第１カバー１２ａ1の前縁には、中央箇所に１つの大突起１２ｃ、各端部寄り箇所に１つずつの小突起１２ｄ・１２ｄが形成されている。
【００２８】
そして、図２および図４に示すように、第１カバー１２ａ1の前縁には、これらの大突起１２ｃおよび小突起１２ｄ・１２ｄによって、吸込口体５をフローリング、畳、じゅうたんなどの被掃除面に置いたときに被掃除面との間に４つの集塵用間隙７３・７３・７３・７３が形成される。
【００２９】
第１カバー１２ａ1には、左右に長い略長方形の１つの集塵開口部７４が設けられている。この集塵開口部７４は集塵用間隙７３・７３・７３・７３に連通するものである。
【００３０】
第２カバー１２ａ2には、図９に示すように、左右両側縁の内側に係止用凹部７５・７５が設けられている。これらの凹部７５・７５は、下ケース１２が上ケース１１の下側に装着されるときに、本体部６１の下部に側方突出状に設けられた左右一対の係止爪７６・７６のそれぞれが嵌り込む。
【００３１】
中ケース１３は、図１１に示すように、上ケース１１と同様に略半円筒形状を有している。中ケース１３の上部中央には、左右に長い隆起部１３ｂが設けられている。この隆起部１３ｂは、上ケース１１の上方開口部１１ａに上方へ露出した状態で着脱可能に装着することができるような形状および大きさにされている。
【００３２】
中ケース１３の前縁には、左右一対の係止爪１３ｃ・１３ｃが設けられている。中ケース１３の後縁には、その中央箇所に係止用第１凸部１３ｄが設けられ、その各端部寄り箇所に係止用第２凸部１３ｅ・１３ｅが設けられている。これらの第１凸部１３ｄおよび第２凸部１３ｅ・１３ｅは、中ケース１３が上ケース１１および下ケース１２の間に着脱可能に装着されるときに、上ケース１１の後部下縁の近傍に設けられた係止用第１凹部１１ｄおよび係止用第２凹部１１ｅ・１１ｅにそれぞれ嵌り込む。
【００３３】
また、中ケース１３の係止爪１３ｃ・１３ｃは、中ケース１３が上ケース１１および下ケース１２の間に着脱可能に装着されるときに、上ケース１１の第２凹部１１ｃ・１１ｃのそれぞれに着脱可能に係止される。
【００３４】
［集塵部ユニットの回転ブラシ］
図７〜図１０に示すように、集塵用回転ブラシ７２は、複数のブラシ体が外周面に設けられた長円筒状のブラシ軸部７２ａと、ブラシ軸部７２ａの一方端部に回転可能に設けられた軸受部７２ｂとを備えている。軸受部７２ｂの外側には装着部７２ｃが設けられている。装着部７２ｃは、回転ブラシ７２を中ケース１３に装着する際に、中ケース１３に設けられた装着嵌合部１３ｆに嵌合される。
【００３５】
ブラシ軸部７２ａの他方端部は、吸込口本体６の本体部６１に内部に設けられた上記モータＭの回転駆動力を回転ブラシ７２へ伝達するための駆動力伝達部材８０に連結されている。
【００３６】
図１０および図１２〜図１５により詳しく示すように、駆動力伝達部材８０は、回転ブラシ７２の他方端部に一端が取り付けられたケーシング８０ａと、ケーシング８０ａの他端に開放状に設けられ、モータＭの出力軸に取り付けられた駆動ファンに係脱可能に係合する従動ファン８０ｂと、ケーシング８０ａの内部に配設された一対のプーリ８０ｄ・８０ｅ、ケーシング８０ａの内部でこれらのプーリ８０ｄ・８０ｅに張り渡されたベルト８０ｆとを備えている。
【００３７】
そして、一対のプーリ８０ｄ・８０ｅの一方が回転ブラシ７２のブラシ軸部７２ａの他方端部の回転軸に接続され、他方が従動ファン８０ｂの回転軸に接続されている。また、ケーシング８０ａの一端には水抜き孔８０ｃが設けられており、この吸込口体５の内部を水洗いしたときに、駆動力伝達部材８０のケーシング８０ａの内部に入り込んだ水を水抜き孔８０ｃから抜くことができるようにされている。
【００３８】
駆動力伝達部材８０に連結された回転ブラシ７２は、ここでは両者が一体となった回転ブラシユニット９０として取り扱われる（図１０を参照）。回転ブラシユニット９０は、図８〜図１０に示すように、回転ブラシ７２が、下ケース１２の集塵開口部７４に着脱可能に取り付けられた状態で中ケース１３と下ケース１２との間に配置されている。
【００３９】
＜吸込口体の分解、水洗い＞
上記のように構成された吸込口体５は、各構成要素がそれぞれの所定箇所に装着された結果、図７および図８に示した状態になり、電気掃除機１の掃除機本体２にホース３および延長パイプ４を介して接続されて、被掃除面の掃除に使用される。そして、何度かの使用の後に、吸込口体５の清掃、特にその内部の水洗いをする必要に迫られた場合には、以下のようにして分解され、水洗いされる。
【００４０】
使用者はまず、吸込口体５を電気掃除機１の延長パイプ４から取り外して、図８に示すように裏返しにする。そして、図９に示すように、吸込口体５から下ケース１２を取り外す。その後、図１０に示すように、中ケース１３から回転ブラシユニット９０を取り外し、次いで、図１１に示すように、残りの吸込口体５から中ケース１３を取り外す。
【００４１】
そして、使用者は、取り外した下ケース１２、回転ブラシユニット９０および中ケース１３を水洗いする。この水洗いのとき、回転ブラシユニット９０を構成する駆動力伝達部材８０のケーシング８０ａの内部には、開放状に設けられた従動ファン８０ｂの部分から水が入り込むおそれがある。その場合には、入り込んだ水をケーシング８０ａの水抜き孔８０ｃから抜くことができる。
【００４２】
また、下ケース１２、回転ブラシユニット９０および中ケース１３が取り外された上ケース１１の内面の清掃については、下ケース１２の集塵開口部７４から集塵室７１へ流入した塵埃や繊維状ゴミは上ケース１１の内面にほとんど触れることなく吸込口本体６へ吸い込まれるので、特に気にする必要がない。なぜなら、この吸込口体５にあっては、上記のように、回転ブラシ７２が、下ケース１２の集塵開口部７４に着脱可能に取り付けられた状態で中ケース１３と下ケース１２との間に配置されており、また、中ケース１３が、上ケース１１と同様に略半円筒形状を有し、かつ、吸込口本体６の吸込口部６１ａと連通する吸込口部１３ａを有しているからである。このように、上ケース１１から中ケース１３のみを取り外すことで、容易に水洗いをすることができる。
【００４３】
しかしながら、上ケース１１の内面の清掃を行いたい場合は、下ケース１２、回転ブラシユニット９０および中ケース１３が取り外された図１１に示す上ケース１１の内面を雑巾やティシュペーパーなどで拭うようにしてもよい。
【００４４】
＜吸込口体の効果＞
以上のように構成された実施形態１の電気掃除機１の吸込口体５は、集塵部ユニット７がモータＭおよび回路基板Ｎなどの電気部品を有する吸込口本体６とは隔離して設けられているとともに、その中ケース１３および下ケース１２が上ケース１１に対して着脱可能に装着され、さらに、集塵用回転ブラシ７２が下ケース１２の集塵開口部7４に着脱可能に装着されている。
【００４５】
従って、この吸込口体５によれば、集塵部ユニット７の構成要素である中ケース１３および下ケース１２を上ケース１１から、また、回転ブラシ７２を中ケース１３および下ケース１２から、取り外すことができる。その結果、取り外した中ケース１３、下ケース１２および回転ブラシ７２をモータＭなどの電気部品を気にすることなく水洗いすることができ、集塵部ユニット７が衛生的な状態で吸込口体５を保管することが可能になる。
【００４６】
また、この吸込口体５は、中ケース１３の全体が透明なものであり、かつ、中ケース１３の上部中央に左右に長い隆起部１３ｂが設けられ、隆起部１３ｂが上ケース１１の上方開口部１１ａに、上方へ露出した状態で着脱可能に装着されるように構成されている。
【００４７】
従って、この吸込口体５によれば、電気掃除機１の掃除機本体２にホース３および延長パイプ４を介して接続されて、何度か使用された後に、使用者が中ケース１３の内部を透明な隆起部１３ｂを介して目視することで、汚れた吸込口体５の清掃、特にその内部における回転ブラシ７２の水洗いをする必要があるかどうかを容易に判断することができる。さらに、使用者は、隆起部１３ｂを手で下ケース１２の方向へ押すことによって、汚れた回転ブラシ７２に触れることなく中ケース１３および回転ブラシ７２を取り外すことができる。
【００４８】
（回転ブラシユニットの構成）
次に、回転ブラシユニット９０の構成、特にその駆動力伝達部材８０の構成について、図１２〜図１５に基づいて説明する。
【００４９】
回転ブラシユニット９０の駆動力伝達部材８０のケーシング８０ａは、側面形状が略楕円形のボックス型のものであり、回転ブラシ７２に近い側の内側ケーシング部８０ａ1 と回転ブラシ７２に遠い側の外側ケーシング部８０ａ2 とから構成されている。内側ケーシング部８０ａ1  の厚さは、プーリ８０ｄ・８０ｅのうちのベルト８０ｆが掛けられる部分とベルト８０ｆとを周壁で覆うような寸法にされている。外側ケーシング部８０ａ2 は、プーリ８０ｄ・８０ｅの回転軸を保持するように、かつ、内側ケーシング部８０ａ1 と外側ケーシング部８０ａ2 とを固定用ビス８０ｇで固定するように構成されている。
【００５０】
外側ケーシング部８０ａ2 の周縁には、リブ８０ｈが外方突出状に設けられている。このリブ８０ｈは、外側ケーシング部８０ａ2 を補強するため、および、内側ケーシング部８０ａ1 と外側ケーシング部８０ａ2 とを互いに固定したり、取り外したりする際に手を掛けるためなどの理由により、設けられている。このリブ８０ｈを設けることにより、集塵部ユニット７の上ケース１２から回転ブラシユニット９０を取り出すとき、リブ８０ｈを引っ掛けることで回転ブラシユニット９０を取り出せ易くなる。
【００５１】
また、ベルト８０ｆの劣化などでベルト８０ｆが緩みだして、内側ケーシング部８０ａ1 とベルト８０ｆとの接触により内側ケーシング部８０ａ1 の内面が擦り減って、交換する必要が生じた場合に、駆動力伝達部材８０の全体を交換することなく内側ケーシング部８０ａ1 のみを交換することで足りるので、駆動力伝達部材８０のメンテナンスを容易に行うことができる。
【００５２】
（実施形態２）
電気掃除機用の吸込口体５を備えた実施形態２の電気掃除機は、図示しないが、集塵方式がサイクロン式であり、かつ、収納する際に直立状に置かれるいわゆるアップライト型電気掃除機である。このような実施形態２の電気掃除機の掃除機本体にホースおよび延長パイプを介して接続された吸込口体５は、実施形態１の電気掃除機１の吸込口体５と同一である。
【００５３】
図２〜図６に示すように、吸込口体５の吸込口本体６は、平面形状がＴ字状である本体部６１と、本体部６１の中央部分に上方突出状にかつ所定範囲の角度で回動可能に連設され、その上方端部で実施形態２の電気掃除機の延長パイプに接続される接続部６２とを備えている。
【００５４】
吸込口本体６の接続部６２は、上記のように、本体部６１に対して上方突出状にかつ所定範囲の角度で回動可能に設けられているので、接続部６２の上方端部で実施形態２の電気掃除機の延長パイプに接続されて使用される。
【００５５】
実施形態２の電気掃除機に接続されて使用される吸込口体５にあっても、実施形態１の電気掃除機１の吸込口体５の上記効果と同様な効果を奏することができる。
【００５６】
（実施形態３）
電気掃除機用の吸込口体を備えた実施形態３の電気掃除機は、図示しないが、実施形態１および実施形態２とは異なり、回転ブラシ７２を回転駆動するためのモータＭを備えていないものである。このような参考例の電気掃除機の吸込口体は、実施形態１および実施形態２と同様に、掃除機本体にホースおよび延長パイプを介して接続される。
【００５７】
この吸込口体には、実施形態１および実施形態２のようなモータＭやそれに接続される回路基板などの電気部品がない。従って、参考例の吸込口体は、実施形態１および実施形態２の吸込口体と同様に、電気部品を気にすることなく水洗いすることができ、集塵部ユニットが衛生的な状態で吸込口体を保管することが可能になる。
【００５８】
また、実施形態３の吸込口体は、実施形態１および実施形態２と同様に、中ケース１３および下ケース１２が上ケース１１に対して着脱可能に装着され、さらに、回転ブラシ７２が下ケース１２の集塵開口部7４に着脱可能に装着されている。従って、この吸込口体によれば、中ケース１３および下ケース１２を上ケース１１から、また、回転ブラシ７２を中ケース１３および下ケース１２から取り外して、水洗いすることができ、集塵部ユニットが衛生的な状態で吸込口体５を保管することが可能になる。
【００５９】
さらに、実施形態３の吸込口体は、中ケース１３の全体が透明なものであり、かつ、中ケース１３の上部中央に設けられた隆起部１３ｂが上ケース１１の上方開口部１１ａに、上方へ露出した状態で着脱可能に装着されるように構成されている。従って、この吸込口体によれば、中ケース１３の内部を透明な隆起部１３ｂを介して目視することで、汚れた吸込口体５の清掃をする必要があるかどうかを容易に判断することができる。加えて、隆起部１３ｂを手で下ケース１２の方向へ押すことによって、汚れた回転ブラシ７２に触れることなく中ケース１３および回転ブラシ７２を取り外すことができる。
【００６０】
（まとめ）
本発明の電気掃除機用の吸込口体は、電気部品および吸込口部を有し、電気掃除機の掃除機本体に接続される吸込口本体と、この吸込口本体の前方にこの吸込口本体とは隔離して設けられ、上記吸込口部と連通する集塵室、この集塵室の内部に配置される集塵用回転ブラシ、および上記集塵室と連通する集塵開口部を有する集塵部ユニットとを備えてなり、上記吸込口本体は、上記電気部品として、上記回転ブラシを回転駆動するためのモータを少なくとも有し、上記集塵部ユニットは、上記集塵室を形成する上ケースと、この上ケースの下側に着脱可能に装着され、上記集塵開口部が設けられた下ケースと、上記上ケースおよび上記下ケースの間に着脱可能に装着され、上記吸込口本体の上記吸込口部と連通する吸込口部を有する中ケースとを備え、上記回転ブラシは、上記下ケースの上記集塵開口部に着脱可能に取り付けられた状態で上記中ケースと上記下ケースとの間に配置されている。
【００６１】
本発明の電気掃除機用の吸込口体は、次のように構成されていてもよく、それらが適宜組み合わされていてもよい。
【００６２】
（１）上記上ケースに、上記中ケースの上部を上方へ露出させる上方開口部が設けられ、この上方開口部に、上記中ケースがその上部を上方へ露出させた状態で着脱可能に取り付けられていてもよい。このように構成されているときには、使用者は、中ケースの上部を手で下ケースの方向へ押すことによって、汚れた回転ブラシに触れることなく中ケースおよび回転ブラシを取り外すことができる。
（２）上記中ケースは、その全部または少なくとも上記上部が透明にされていてもよい。このように構成されているときには、使用者が中ケースの内部を透明な上記上部を介して目視することで、汚れた吸込口体の清掃、特にその内部における回転ブラシの水洗いをする必要があるかどうかを容易に判断することができる。
（３）吸込口体は、上記モータの回転駆動力を上記回転ブラシへ伝達する着脱可能な駆動力伝達部材をさらに備えていてもよい。このように構成されているときには、その駆動力伝達部材を単独であるいは上記回転ブラシとともに吸込口体から取り外すことで、駆動力伝達部材の清掃を容易に行うことができる。
（４）吸込口体は、電動送風機が内蔵された各種の型の掃除機本体に接続して使用されてもよい。このように使用することで、各種の型の掃除機本体の集塵部ユニットが衛生的な状態で吸込口体を保管することが可能になる。
【００６３】
本発明では、キャニスター型として使用可能な電気掃除機１を実施形態１として、また、アップライト型として使用可能な電気掃除機を実施形態２としてそれぞれ例示したが、本発明における吸込口体は、これらの他に、いわゆるハンディ型、いわゆるスティック型などの電気掃除機にも適宜、適用することができる。
【００６４】
開示された実施形態は、すべての点で例示であって制限的なものではないと解すべきである。本発明の範囲は、上述の説明ではなくて特許請求の範囲によって示され、また、特許請求の範囲と均等である意味およびその範囲内でのすべての変更が含まれる。
【符号の説明】
【００６５】
１    電気掃除機
２    掃除機本体
５    吸込口体
６    吸込口本体
７    集塵部ユニット
１１    上ケース
１１ａ  上方開口部
１２    下ケース
１３    中ケース
１３ｂ  隆起部（上部）
６１    本体部
６１ａ  吸込口部
６２    接続部
７１    集塵室
７２    回転ブラシ
７４    集塵開口部
８０    駆動力伝達部材
Ｍ    モータ
Ｎ    回路基板
【図１】
0006554334.tif 000002
【図２】
0006554334.tif 000003
【図３】
0006554334.tif 000004
【図４】
0006554334.tif 000005
【図５】
0006554334.tif 000006
【図６】
0006554334.tif 000007
【図７】
0006554334.tif 000008
【図８】
0006554334.tif 000009
【図９】
0006554334.tif 000010
【図１０】
0006554334.tif 000011
【図１１】
0006554334.tif 000012
【図１２】
0006554334.tif 000013
【図１３】
0006554334.tif 000014
【図１４】
0006554334.tif 000015
【図１５】
0006554334.tif 000016